(57)【要約】      （修正有）【課題】交換マスクの形状によらず、交換マスクを顔面に密着させることが可能であり、耳に掛けやすく、丈夫なマスクカバーを提供する。【解決手段】交換マスク２０を顔面の口と鼻、またはいずれか一方にあてがって交換マスク２０の上から顔面に装着可能な伸縮性のある素材からなるマスクカバー１０であって、交換マスク２０を顔面の口と鼻、またはいずれか一方に装着させる内枠部１１と、内枠部１１の左上部と左下部とに接続されて第１の開口部１３−ａを有する第１の耳掛け部１２−ａと、内枠部１１の右上部と右下部とに接続されて第２の開口部を有する第２の耳掛け部とを備え、第１の開口部１３−ａに顔面から見て左側の耳が入ることで第１の耳掛け部１２−ａが左側の耳に掛けられ、第２の開口部に顔面から見て右側の耳が入ることで第２の耳掛け部が右側の耳に掛けられる。【選択図】図２
0003227964.tif 000002
【実用新案登録請求の範囲】
【請求項１】
交換マスクを顔面の口と鼻、またはいずれか一方にあてがって前記交換マスクの上から顔面に装着可能な伸縮性のある素材からなるマスクカバーであって、
前記交換マスクを顔面の口と鼻、またはいずれか一方に装着させる内枠部と、
前記内枠部の左上部と左下部とに接続されて第１の開口部を有する第１の耳掛け部と、
前記内枠部の右上部と右下部とに接続されて第２の開口部を有する第２の耳掛け部と
を備え、前記第１の開口部に顔面から見て左側の耳が入ることで前記第１の耳掛け部が左側の耳に掛けられ、前記第２の開口部に顔面から見て右側の耳が入ることで前記第２の耳掛け部が右側の耳に掛けられることを特徴とするマスクカバー。
【請求項２】
前記伸縮性のある素材は、エラストマー、紙、または布であることを特徴とする請求項１記載のマスクカバー。
【請求項３】
前記第１及び第２の耳掛け部の全部または一部がミアンダ形状となっていることを特徴とする請求項１記載のマスクカバー。
【請求項４】
前記第１及び第２の開口部は四角形状であることを特徴とする請求項１記載のマスクカバー。
【請求項５】
前記マスクカバーは、冷却して使用することが可能なことを特徴とする請求項１記載のマスクカバー。
【考案の詳細な説明】
【技術分野】
【０００１】
本考案は、マスクカバーに関する。
【背景技術】
【０００２】
新型コロナウイルスの蔓延により、マスクの需要が増大し、供給量を大きく超える事態となった。そのため、市場においてマスクの販売量が極端に少なくなった。昨今、供給量についてやや改善も見られるが、以前と比較して、マスクの単価が非常に高額となっている。
【０００３】
市場には、多くの種類のマスクが販売されている。例えば、複数の不織布を重ね合わせた不織布マスクや、綿織物を折り重ねたガーゼマスクなどがある。また、その用途により、家庭用マスクや医療用マスク、産業用マスクなどがある。さらに、その形状も、顔のラインにぴったりと接触する平形、前面がブリーツ状のブリーツ型、マスクと口もととの間に空間を施した立体型などがある。
【０００４】
他方、マスクカバーも存在する。マスクカバーについて、例えば、以下のような技術がある。すなわち、顔面に予め取り付けられたアンカー部材への係合により着脱自在に取り付けられるマスクカバーにおいて、そのマスクカバーがネットで形成されるようになされたものがある。
【０００５】
この技術によれば、ネットで形成されることにより、伸縮性に富み、装着時に顔面の曲面に馴染んで、顔面に密着しやすくなるため、交換マスクと顔面との間に隙間がなくなるように装着でき、周囲からの埃や花粉等の侵入を抑制することができる、とされる。
【先行技術文献】
【特許文献】
【０００６】
【特許文献１】特開２０１８−１４５５７０号
【考案の概要】
【考案が解決しようとする課題】
【０００７】
しかし、上述したマスクカバーは、顔面の左右両端の頬骨近傍に設けたアンカー部材により点状にマスクカバーを係止させたものである。
【０００８】
そのため、上述したマスクカバーは、マスクカバーと顔面との間にあてがう交換マスクの形状が、顔面の左右の取り付けられたアンカー部材の位置によって規制されてしまう場合がある。
【０００９】
例えば、左右のアンカー部材が鼻に近い位置に取り付けられると、左右方向に長いタイプの交換マスクでは、その交換マスクの左右を折って、その上からマスクカバーを取り付けることになる。この場合、顔面と交換マスクとの間に隙間が生じ、埃や花粉、他人の飛沫が交換マスク内に侵入する場合もある。
【００１０】
また、交換マスクの形状に応じて、アンカー部材を顔面に取り付けるのはユーザにとって面倒であり、また、何度も剥がしたり取り付けたりを繰り返すことで、再度の取り付けが困難となり、マスクの機能を果たさない場合もある。
【００１１】
そこで、一開示は、交換マスクの形状によらず、交換マスクを顔面に密着させることが可能なマスクカバーを提供することにある。
【００１２】
また、一開示は、耳に掛けやすく、丈夫なマスクカバーを提供することにある。
【課題を解決するための手段】
【００１３】
一開示は、交換マスクを顔面の口と鼻、またはいずれか一方にあてがって前記交換マスクの上から顔面に装着可能な伸縮性のある素材からなるマスクカバーであって、前記交換マスクを顔面の口と鼻、またはいずれか一方に装着させる内枠部と、前記内枠部の左上部と左下部とに接続されて第１の開口部を有する第１の耳掛け部と、前記内枠部の右上部と右下部とに接続されて第２の開口部を有する第２の耳掛け部とを備え、前記第１の開口部に顔面から見て左側の耳が入ることで前記第１の耳掛け部が左側の耳に掛けられ、前記第２の開口部に顔面から見て右側の耳が入ることで前記第２の耳掛け部が右側の耳に掛けられることを特徴とするマスクカバーにある。
【考案の効果】
【００１４】
一開示によれば、交換マスクの形状によらず、交換マスクを顔面に密着させることが可能である。また、一開示によれば、耳に掛けやすく、丈夫なマスクカバーを提供することが可能である。
【図面の簡単な説明】
【００１５】
【図１】図１（Ａ）はマスクカバーの正面図、図１（Ｂ）はマスクカバーの斜視図である。
【図２】図２は顔面に装着されたマスクカバーの例を表す図である。
【図３】図３（Ａ）は、耳掛け部の一部がミアンダ形状となっているマスクカバーの正面図、図３（Ｂ）はそのようなマスクカバーの斜視図を表す図である。
【図４】図４（Ａ）は耳掛け部が左右に伸ばされた場合のマスクカバーの例、図４（Ｂ）は顔面に装着されたマスクカバーの例を表す図である。
【図５】図５（Ａ）と図５（Ｂ）はマスクカバーの例を表す図である。
【考案を実施するための形態】
【００１６】
以下、本考案を実施するための形態について説明する。なお、以下の実施例は開示の技術を限定するものではない。そして、各実施の形態は、処理内容を矛盾させない範囲で適宜組み合わせることが可能である。
［第１の実施の形態］
図１（Ａ）は、第１の実施の形態におけるマスクカバー１０の正面図の例、図１（Ｂ）は斜視図の例をそれぞれ表している。
【００１７】
図１（Ａ）と図１（Ｂ）に示すように、マスクカバー１０は、内枠部１１と、第１の耳掛け部１２−ａ、及び第２の耳掛け部１２−ｂを含む。
【００１８】
内枠部１１は、顔面から見て、左上部１１０、左下部１１１、右上部１１２、右下部１１３を含む。
【００１９】
第１の耳掛け部１２−ａは、左上部１１０と左下部１１１とに接続され、第１の開口部１３−ａを含む。また、第２の耳掛け部１２−ｂは、右上部１１２と右下部１１３とに接続され、第２の開口部１３−ｂを含む。
【００２０】
図１（Ａ）と図１（Ｂ）の例では、第１及び第２の開口部１３−ａ，１３−ｂは、四角形状となっている。
【００２１】
第１の開口部１３−ａには、顔面から見て左側の耳が入る。また、第２の開口部１３−ｂには、右側の耳が入る。左右の耳が第１及び第２の開口部１３−ａ，１３−ｂに入って、第１及び第２の耳掛け部１２−ａ，１２−ｂの中央付近で、左右の耳の付け根近傍に接触することで、第１及び第２の耳掛け部１２−ａ，１２−ｂが左右の耳にそれぞれ掛けられる。
【００２２】
なお、図１（Ａ）と図１（Ｂ）の例では、内枠部１１と、第１及び第２の耳掛け部１２−ａ，１２−ｂは、いずれも同一の伸縮性のある素材（以下、「伸縮性素材」と称する場合がある。）からなる。同一素材とすることで、異なる素材とする場合と比較して、製造が容易となる
このような伸縮性素材の例としては、例えば、エラストマーがある。エラストマーとは、例えば、弾性を持った高分子の総称である。
【００２３】
エラストマーには、シリコンゴム、フッ素ゴムなど、一定温度まで熱を加えても軟化することがない熱硬化性エラストマーが含まれる。また、エラストマーには、ポリスチレン（またはスチレン）系、オレフィン系、ポリ塩化ビニル系、ポリウレタン（またはウレタン）系、ポリエステル系など、熱を加えると軟化して流動性を示し、冷却するとゴム状に戻る性質をもった熱可塑性エラストマーがある。
【００２４】
マスクカバー１０に利用される伸縮性素材としては、熱硬化性エラストマーでもよいし、熱可塑性エラストマーでもよい。
【００２５】
また、伸縮性素材としては、プラスチックなどの合成樹脂、ナイロンなどの合成繊維、あるいは、これらを含む高分子材料からなる素材であってもよい。
【００２６】
さらに、伸縮性素材としては、不織布やガーゼなど、使い捨てマスクで使用される素材であってもよい。さらに、伸縮性素材としては、紙や布であってもよい。さらに、伸縮性素材としては、以上述べてきた素材の全部または一部を混合した素材であってもよい。
【００２７】
図１（Ａ）と図１（Ｂ）に示すように、内枠部１１は、全体として四角形状となっている。また、内枠部１１は、内部に複数の開口部１１５−１〜１１５−１２を有し、全体として格子状となっている。
【００２８】
図１（Ａ）と図１（Ｂ）の例では、開口部１１５−１〜１１５−１２は、四角形状となっており、左右方向に３個（３列）、上下方向に４個（４行）、全部で１２個存在する。
【００２９】
図２は、第１の実施の形態におけるマスクカバー１０が顔面３０に装着されたときの例を表す図である。
【００３０】
図２に示すように、マスクカバー１０は、顔面３０に交換マスク２０をあてがって、交換マスク２０の上から顔面３０に装着可能なものとなっている。
【００３１】
交換マスク２０は、例えば、ティッシュなどの紙素材、ハンカチやタオルなどの布素材であってもよい。
【００３２】
マスクカバー１０の内枠部１１が格子状となっていることで、例えば、交換マスク２０を顔面３０、とくに口や鼻を抑えるように確実に装着、かつ密着させることが可能である。
【００３３】
これにより、例えば、交換マスク２０内に埃や花粉、他人の飛沫などが侵入できなくなり、マスクとしての機能を果たすことが可能となる。また、内枠部１１が格子状となることで、マスクカバー１０全体の強度を増加させることも可能である。
【００３４】
そして、図２に示すように、本第１の実施の形態のマスクカバー１０は、第１及び第２の耳掛け部１２−ａ，１２−ｂにより耳に掛けるタイプの構造となっている。
【００３５】
これにより、例えば、顔面３０の左右にアンカー部を設けて、アンカー部に係止させるタイプのマスクカバーと比較して、交換マスク２０の大きさが規制されることがない。
【００３６】
すなわち、アンカー部を設けたマスクカバーの場合、例えば、顔面３０の左右の頬骨にアンカー部を取り付けると、顔面３０の左右方向においては、左右のアンカー部の範囲内に、交換マスク２０を装着させなければならない。その範囲が交換マスク２０の大きさと比較して小さい場合、交換マスク２０の一部を折り畳むなどして、顔面３０の一部が交換マスク２０と密着することができない部分が存在する場合がある。これでは、埃などが交換マスク２０内に侵入して、マスクの機能を果たすことができない場合がある。
【００３７】
他方、第１の実施の形態のマスクカバー１０は、第１及び第２の耳掛け部１２−ａ，１２−ｂにより耳に掛けるタイプのものであるため、交換マスク２０の大きさが規制されることがない。
【００３８】
例えば、図２に示すように、交換マスク２０が内枠部１１よりも大きい場合、交換マスク２０が左右均等に折り畳まれた状態で、顔面３０に装着させることが可能である。そのため、マスクカバー１０によって交換マスク２０を顔面３０、とくに口や鼻を密着させることができる。
【００３９】
したがって、第１の実施の形態のマスクカバー１０は、アンカー部を顔面３０に設けるタイプのマスクカバーと比較して、交換マスク２０の形状によらず、交換マスク２０を顔面３０に密着させることが可能である。
【００４０】
また、第１の実施の形態のマスクカバー１０は、顔面３０にアンカー部を取り付ける場合と比較して、交換マスク２０が顔面３０を覆う範囲を広くさせることが可能である。これにより、口や鼻に外部から埃などが侵入する可能性が低くなるとともに、顔面３０に埃などが付着する範囲を狭くすることが可能である。
【００４１】
さらに、、第１の実施の形態のマスクカバー１０は、第１及び第２の開口部１３−ａ，１３−ｂを有する形で、第１及び第２の耳掛け部１２−ａ，１２−ｂによりそれぞれ左右の耳に掛けられる。そのため、耳に掛けやすく、その一方で、切れにくい丈夫なマスクカバー１０を提供することが可能である。
【００４２】
さらに、、第１の実施の形態のマスクカバー１０全体は、例えば、エラストマーなどの伸縮性素材からなる。エラストマーは、例えば、赤ちゃんのおしゃぶりの素材に利用される場合がある。このような素材が第１及び第２の耳掛け部１２−ａ，１２−ｂの素材として利用されていることからも、耳に掛けやすく、その一方で、耳に掛けても切れにくい丈夫なマスクカバー１０を提供することが可能と言える。
【００４３】
なお、第１及び第２の耳掛け部１２−ａ，１２−ｂの一部が耳に掛けられた状態で、第１及び第２の耳掛け部１２−ａ，１２−ｂが左右方向へ引っ張られることで、第１または第２の耳掛け部１２−ａ，１２−ｂの一部が切断される場合が想定される。
【００４４】
しかし、そのような場合でも、第１及び第２の耳掛け部１２−ａ，１２−ｂには伸縮用素材が用いられているため、切れて２つに分離した部分を引っ張って、その部分を結ぶことで、再度、マスクカバー１０として使用することも可能である。
【００４５】
或いは、第１及び第２の耳掛け部１２−ａ，１２−ｂの一部を最初から切断して、２つに分離した部分を結んで、マスクカバー１０として使用することも可能である。
[第２の実施の形態]
図３（Ａ）は第２の実施の形態におけるマスクカバー１０の正面図、図３（Ｂ）は斜視図の例をそれぞれ表している。
【００４６】
図３（Ａ）と図３（Ｂ）に示すマスクカバー１０も、第１の実施の形態におけるマスクカバー１０と同様に、内枠部１１と、第１及び第２の耳掛け部１７−ａ，１７−ｂを含む。また、内枠部１１も、第１の実施の形態におけるマスクカバー１０と同様に、複数の開口部１１５−１〜１１５−１２を有し、全体として格子状となっている。さらに、第２の実施の形態におけるマスクカバー１０の素材も、第１の実施の形態におけるマスクカバー１０と同一である。
【００４７】
ただし、第２の実施の形態における第１及び第２の耳掛け部１７−ａ，１７−ｂは、その一部がミアンダ形状となっている。ミアンダ形状とは、例えば、蛇行する川のような形状のことである。
【００４８】
また、第１及び第２の開口部１８−ａ，１８−ｂは、第１及び第２の耳掛け部１７−ａ，１７−ｂの内側に形成され、それぞれ左右の耳が入る点で第１の実施の形態と同様であるが、その形状は四角形状ではない形状となっている。
【００４９】
第１の耳掛け部１７−ａは、第１のミアンダ部１７１−ａと、第１の直線部１７３−ａと、第２のミアンダ部１７２−ａとを含む。
【００５０】
第１のミアンダ部１７１−ａは、その一端が内枠部１１の左上部１１０と接続され、他端が第１の直線部１７３−ａと接続される。第１のミアンダ部１７１−ａは、左上部１１０の接続部分と第１の直線部１７３−ａとの接続部分との間で、マスクカバー１０の上下方向において蛇行するミアンダ形状を形成する。図３の例では、左上部１１０との接続部分から下方向に向けて伸び、その途中から、上方向に向けて伸び、全体として１往復分のミアンダ形状が形成されている。
【００５１】
第１の直線部１７３−ａは、その一端が第１のミアンダ部１７１−ａと、他端が第２のミアンダ部１７２−ａと接続され、その間で、上下方向に向けて直線状に形成される。
【００５２】
第２のミアンダ部１７２−ａは、その一端が内枠部１１の左下部１１１と接続され、他端が第１の直線部１７３−ａと接続され、その間で、マスクカバー１０の上下方向に蛇行するミアンダ形状を形成する。図３の例の第２のミアンダ部１７２−ａは、左下部１１１との接続部分から上方向に向けて延び、その途中から、下方向に向けて延び、全体として１往復分のミアンダ形状が形成されている。
【００５３】
第２の耳掛け部１７−ｂについても、第３のミアンダ部１７１−ｂと、第２の直線部１７３−ｂと、第４のミアンダ部１７２−ｂとを含む。
【００５４】
第３のミアンダ部１７１−ｂは、その一端が内枠部１１の右上部１１２と接続され、他端が第２の直線部１７３−ｂと接続され、その間において、マスクカバー１０の上下方向に蛇行するミアンダ形状が形成される。その形状も、右上部１１２との接続部分から下方向に延び、途中から、上方向に向けて延び、全体として１往復分のミアンダ形状が形成される。
【００５５】
第２の直線部１７３−ｂは、その一端が第３のミアンダ部１７１−ｂ、他端が第４のミアンダ部１７２−ｂとそれぞれ接続し、その間で、上下方向に向けて直線状に形成される。
【００５６】
第４のミアンダ部１７２−ｂは、その一端が内枠部１１の右下部１１３と接続され、他端が第２の直線部１７３−ｂと接続され、その間で、上下方向に蛇行するミアンダ形状が形成される。図３の例では、右下部１１３との接続部分から上方向に延び、その途中から下方向に向けて延び、全体として１往復分のミアンダ形状が形成されている。
【００５７】
図４（Ａ）は、第２の実施の形態におけるマスクカバー１０の第１及び第２の耳掛け部１７−ａ，１７−ｂが左右に引っ張られたときの状態の例を表す図である。
【００５８】
図４に示すように、第１及び第２の直線部１７３−ａ，１７３−ｂの中央付近から左右に引っ張られることで、第１及び第２のミアンダ部１７１−ａ，１７２−ａと、第３及び第４のミアンダ部１７１−ｂ，１７２−ｂがほどけるように、伸びる。
【００５９】
図４（Ｂ）は、第２の実施の形態におけるマスクカバー１０が顔面３０の装着されたときの例を表す図である。
【００６０】
図４に示すように、第１の耳掛け部１７−ａが左側の耳に掛けられる。
【００６１】
第１の耳掛け部１７−ａ（及び第２の耳掛け部１７−ｂ）には、第１及び第２のミアンダ部１７１−ａ，１７２−ａ（と第３及び第４のミアンダ部１７１−ｂ，１７２−ｂ）によりミアンダ形状が形成されている。そのため、第１の実施の形態のマスクカバー１０の第１の耳掛け部１２−ａ（及び第２の耳掛け部１７−ｂ）と比較して、第１の耳掛け部１７−ａ（及び第２の耳掛け部１７−ｂ）の全体の長さは、長い。
【００６２】
したがって、口から耳までの長さが通常の場合よりも長い場合でも、余裕をもって、第１の耳掛け部１７−ａ（及び第２の耳掛け部１７−ｂ）を耳に掛けることが可能となる。
【００６３】
また、交換マスク２０が大きく、何度も折り畳んで、その厚みが一定以上ある場合でも、第１及び第２のミアンダ部１７１−ａ，１７２−ａ（と第３及び第４のミアンダ部１７１−ｂ，１７２−ｂ）が存在するため、余裕をもって、耳に掛けることができる。
【００６４】
なお、本第２の実施の形態におけるマスクカバー１０も、耳掛けタイプであるため、第１の実施の形態と同様に、アンカー部を取り付ける場合と比較して、交換マスク２０の形状によらず、交換マスク２０を顔面３０に密着させることができる。
【００６５】
また、本第２の実施の形態におけるマスクカバー１０も、アンカー部を取り付ける場合と比較して、交換マスク２０が顔面３０を覆う範囲を広くさせることが可能である。これにより、口や鼻に外部から埃などが侵入する可能性が低くなるとともに、顔面３０に埃などが付着する範囲を狭くすることが可能である。
【００６６】
さらに、第１及び第２の開口部１８−ａ，１８−ｂを有する形で、第１及び第２の耳掛け部１７−ａ，１７−ｂによりそれぞれ左右の耳に掛けられるため、耳に掛けやすく、その一方で、切れにくい丈夫なマスクカバー１０を提供することが可能である。
【００６７】
さらに、第２の実施の形態におけるマスクカバー１０全体も、例えば、エラストマーなどの伸縮性素材からなる。このような素材が第１及び第２の耳掛け部１７−ａ，１７−ｂの素材として利用されていることで、耳に掛けやすく、その一方で、耳に掛けても切れにくい丈夫なマスクカバー１０を提供することが可能である。
【００６８】
第２の実施の形態のマスクカバー１０も、第１の実施の形態と同様に、第１または第２の耳掛け部１７−ａ，１７−ｂの一部が切断されても、切断された部分を結んで、再度使用することが可能である。
【００６９】
また、第２の実施の形態におけるミアンダ形状の第１及び第２の耳掛け部１７−ａ，１７−ｂにおける位置と方向は任意であってよい。
【００７０】
例えば、第１及び第２のミアンダ部１７１−ａ，１７２−ａの位置は、上下方向にある第１の直線部１７３−ａ上にあってもよい。
【００７１】
また、例えば、ミアンダ形状は、図３（Ａ）のような上下方向に蛇行する形状ではなく、左右方向に蛇行する形状であってもよい。
【００７２】
さらに、例えば、第１及び第２のミアンダ部１７１−ａ，１７２−ａにおけるミアンダ形状と、第３及び第４のミアンダ部１７１−ｂ，１７２−ｂにおけるミアンダ形状とは、左右対称ではなく、別々であってもよい。
【００７３】
さらに、ミアンダ形状は、１往復分蛇行する形状ではなく、２往復以上蛇行してもよいし、半往復分だけ蛇行する形状でもよい。
【００７４】
さらに、例えば、第１及び第２の耳掛け部１７−ａ，１７−ｂの全部または一部がミアンダ形状となっていてもよい。
[他の実施の形態]
図５（Ａ）は他の実施の形態におけるマスクカバー１０の例を表す図である。
【００７５】
図５（Ａ）に示すマスクカバー１０は、内枠部１１において、１つの開口部１１５−１５を含む構成の例を示している。すなわち、第１の実施の形態のマスクカバー１０は、複数の開口部１１５−１〜１１５−１２が存在したが、本マスクカバー１０は、１つの開口部１１５−１５のみとなっている。
【００７６】
内枠部１１により、交換マスク２０を顔面３０に密着できるのは、第１の実施の形態のマスクカバー１０と同様である。このような形状でも、第１の実施の形態における効果と同様の効果を奏することが可能である。
【００７７】
図５（Ｂ）も他の実施の形態におけるマスクカバー１０の例を表す図である。
【００７８】
第１の実施の形態のマスクカバー１０は、内枠部１１内に四角形状の複数の開口部１１５−１〜１１５−１２が含まれる例について説明した。本マスクカバー１０は、開口部１１５−２０〜１１５−２７の形状が長円（または楕円）形状となっている例を示している。。
【００７９】
このような形状であっても、内枠部１１がほぼ格子状となるため、第１の実施の形態と同様に、口や鼻に交換マスク２０を密着させることが可能となる。
【００８０】
なお、開口部１１５−２０〜１１５−２７の個数は、図５（Ｂ）の例では８個の例を示しているが、２個、４個、６個でもよいし、１０個以上の偶数個であってもよい。
【００８１】
第１の実施の形態における複数の開口部１１５−１〜１１５−１２の個数も、例えば、図５（Ａ）に示すような１個でもよいし、２個以上あってもよい。
【００８２】
また、第１の実施の形態における複数の開口部１１５−１〜１１５−１２について、左右方向に３列、上下方向に４行の例を示した。例えば、左右（または横）方向に１列、上下方向に１列であってもよい。この場合、内枠部１１が十字形状となる。また、開口部が左右方向に１列、上下方向に複数行あってもよい。この場合、内枠部１１において、左右方向のみに枠が存在する形状となる。また、例えば、開口部が左右方向に複数列、上下方向に１行であってもよい。この場合、内枠部１１において、上下方向のみに枠が存在する形状となる。
【００８３】
さらに、図５（Ａ）と図５（Ｂ）の例において、第１及び第２の耳掛け部１２−ａ，１２−ｂが、ミアンダ形状となっている第１及び第２の耳掛け部１７−ａ，１７−ｂであってもよい。このように、上述した実施の形態で説明した各マスクカバー１０の一部を他の実施の形態で説明した各マスクカバー１０の一部で置き換えられてもよい。
【００８４】
さらに、第１の実施の形態で説明したマスクカバー１０は、冷却して使用することも可能である。例えば、マスクカバー１０と交換マスク２０との間に保冷剤を装着させることも可能である。或いは、例えば、マスクカバー１０を冷蔵庫に入れて冷やして使用することも可能である。例えば、夏場において、交換マスク２０を介してマスクカバー１０を顔面３０に装着させると、顔面３０が蒸れてしまう場合がある。このような場合、例えば、マスクカバー１０と交換マスク２０との間に保冷剤を装着させることで、このような顔面３０に生じる蒸れを防止させることが可能となる。
【００８５】
さらに、第１の実施の形態で説明したマスクカバー１０は、災害や緊急用の保存としても適している。例えば、市販されている不織布マスクでは、保存によりカビが生えてくる場合がある。しかし、マスクカバー１０は、エラストマーなどの素材で形成されているため、不織布マスクと比較して、長期間の保存でもカビが生じることもなく、災害時や緊急時に通常のマスクとしての機能を果たすことが可能となる。
【００８６】
いずれの場合においても、第１の実施の形態等で説明した効果を奏することが可能である。
【符号の説明】
【００８７】
１０：マスクカバー                    １１：内枠部
１２−ａ，１７−ａ：第１の耳掛け部    １２−ｂ，１７−ｂ：第２の耳掛け部
１３−ａ，１８−ａ：第１の開口部      １３−ｂ，１８−ｂ：第２の開口部
２０：交換マスク                      ３０：顔面
１１０：左上部                        １１１：左下部
１１２：右上部                        １１３：右下部
１１５−１〜１１５−１２，１１５−１５，１１５−２０〜１１５−２７：開口部
１７１−ａ：第１のミアンダ部          １７１−ｂ：第３のミアンダ部
１７２−ａ：第２のミアンダ部          １７２−ｂ：第４のミアンダ部
１７３−ａ：第１の直線部              １７３−ｂ：第２の直線部
【図１】
0003227964.tif 000003
【図２】
0003227964.tif 000004
【図３】
0003227964.tif 000005
【図４】
0003227964.tif 000006
【図５】
0003227964.tif 000007
【手続補正書】
【提出日】令和2年6月25日(2020.6.25)
【手続補正１】
【補正対象書類名】実用新案登録請求の範囲
【補正対象項目名】請求項５
【補正方法】変更
【補正の内容】
【請求項５】
前記マスクカバーと前記交換マスクとの間に保冷剤を装着させることで、又は前記マスクカバーを冷蔵庫で冷やすことで、前記マスクカバーを、冷却して使用することが可能なことを特徴とする請求項１記載のマスクカバー。